(57)【要約】【課題】  複数の画像についての撮影情報や輝度分布情報等の定量的情報をそれらの画像とともに好適に比較表示することができ、ユーザが所定の画像群から所望の画像をよりスムーズに選択することができる画像処理装置及び画像処理方法を提供する。【解決手段】  画像処理装置は、複数の画像をそれぞれの撮影時の撮影情報と共に記憶する記憶装置から複数数の画像を取得し、表示装置１５３上に並べて表示する。この際、画像が表示された領域と同一画面内の別領域１４に、当該複数の画像のそれぞれの撮影情報を混成して表示する。また、当該複数枚の画像が表示された領域１４と同一画面内のさらに別領域１５に、各画像のそれぞれの輝度分布情報を混成してグラフ表示する。【選択図】  図１
2006172021.tif 000002
【特許請求の範囲】
【請求項１】
複数の画像をそれぞれの付加情報と共に記憶する記憶手段と、
前記記憶手段から所定枚数の画像を取得する取得手段と、
取得された前記所定枚数の画像を画面上に並べて表示する画像表示手段と、
前記所定枚数の画像が表示された領域と同一画面内の別領域に、該所定枚数の画像のそれぞれに関する付加情報を混成して表示する付加情報表示手段と
を備えることを特徴とする画像処理装置。
【請求項２】
前記付加情報が、前記画像が撮影装置により撮影されたときの撮影情報であることを特徴とする請求項１に記載の画像処理装置。
【請求項３】
前記付加情報表示手段により前記画面上に表示される付加情報の項目の種類を設定する項目設定手段をさらに備えることを特徴とする請求項１又は２に記載の画像処理装置。
【請求項４】
前記付加情報表示手段が、混成して表示された前記付加情報のうち、値が異なる項目についての付加情報を強調表示することを特徴とする請求項３に記載の画像処理装置。
【請求項５】
前記付加情報表示手段によって前記画面上に表示された値が異なる項目のうちいずれかの付加情報の値の部分を選択する選択手段をさらに備え、
前記画像表示手段が、前記選択手段により選択された前記付加情報の値を持つ画像を強調表示することを特徴とする請求項４に記載の画像処理装置。
【請求項６】
複数の画像をそれぞれの付加情報と共に記憶する記憶手段と、
前記記憶手段から所定枚数の画像を取得する取得手段と、
取得された前記所定枚数の画像を画面上に並べて表示する画像表示手段と、
前記所定枚数の画像が表示された領域と同一画面内の別領域に、該所定枚数の画像のそれぞれの輝度分布情報を混成して表示する輝度分布情報表示手段と
を備えることを特徴とする画像処理装置。
【請求項７】
前記画像表示手段によって前記画面上に表示された複数の画像のうちいずれかを選択する画像選択手段をさらに備え、
前記輝度分布情報表示手段が、前記画面上に表示される複数の輝度分布情報のうち、前記画像選択手段により選択された画像に関する輝度分布情報を強調表示することを特徴とする請求項６に記載の画像処理装置。
【請求項８】
前記輝度分布情報表示手段が、前記輝度分布情報を所定の表示形態で表示するグラフを用いて前記画面上に表示することを特徴とする請求項６又は７に記載の画像処理装置。
【請求項９】
前記輝度分布情報表示手段によって前記画面上に表示された複数の輝度分布情報のうちいずれかの輝度分布情報の部分を選択する輝度分布情報選択手段をさらに備え、
前記画像表示手段が、前記輝度分布情報選択手段により選択された輝度分布情報に対応する画像を強調表示することを特徴とする請求項６から８までのいずれか１項に記載の画像処理装置。
【請求項１０】
前記輝度分布情報表示手段が、前記画像表示手段により単一の画像が表示される場合と複数の画像が表示される場合とで、前記輝度分布情報の表示態様を変化させることを特徴とする請求項６から９までのいずれか１項に記載の画像処理装置。
【請求項１１】
前記輝度分布情報表示手段が、前記画像表示手段により単一の画像が表示される場合の前記輝度分布情報を柱状グラフ、複数の画像が表示される場合の該輝度分布情報を線グラフの表示態様で表示することを特徴とする請求項１０に記載の画像処理装置。
【請求項１２】
複数の画像をそれぞれの撮影時の撮影情報と共に記憶する記憶手段と、
前記記憶手段から所定枚数の画像を取得する取得手段と、
取得された前記所定枚数の画像を画面上に並べて表示する画像表示手段と、
前記所定枚数の画像が表示された領域と同一画面内の別領域に、該所定枚数の画像のそれぞれの撮影情報を混成して表示する撮影情報表示手段と、
前記所定枚数の画像が表示された領域と同一画面内のさらに別領域に、該所定枚数の画像のそれぞれの輝度分布情報を混成して表示する輝度分布情報表示手段と
を備えることを特徴とする画像処理装置。
【請求項１３】
前記所定枚数の画像、それぞれの画像の撮影情報及び輝度分布情報を同一記録用紙上に印刷する印刷手段をさらに備えることを特徴とする請求項１２に記載の画像処理装置。
【請求項１４】
複数の画像をそれぞれの付加情報と共に記憶する記憶装置から所定枚数の画像を取得する取得工程と、
取得された前記所定枚数の画像を画像処理装置の画面上に並べて表示する画像表示工程と、
前記所定枚数の画像が表示された領域と同一画面内の別領域に、該所定枚数の画像のそれぞれに関する付加情報を混成して表示する付加情報表示工程と
を有することを特徴とする画像処理方法。
【請求項１５】
複数の画像をそれぞれの付加情報と共に記憶する記憶装置から所定枚数の画像を取得する取得工程と、
取得された前記所定枚数の画像を画像処理装置の画面上に並べて表示する画像表示工程と、
前記所定枚数の画像が表示された領域と同一画面内の別領域に、該所定枚数の画像のそれぞれの輝度分布情報を混成して表示する輝度分布情報表示工程と
を有することを特徴とする画像処理方法。
【請求項１６】
複数の画像をそれぞれの撮影時の撮影情報と共に記憶する記憶装置から所定枚数の画像を取得する取得工程と、
取得された前記所定枚数の画像を画像処理装置の画面上に並べて表示する画像表示工程と、
前記所定枚数の画像が表示された領域と同一画面内の別領域に、該所定枚数の画像のそれぞれの撮影情報を混成して表示する撮影情報表示工程と、
前記所定枚数の画像が表示された領域と同一画面内のさらに別領域に、該所定枚数の画像のそれぞれの輝度分布情報を混成して表示する輝度分布情報表示工程と
を有することを特徴とする画像処理方法。
【請求項１７】
コンピュータに、
複数の画像をそれぞれの付加情報と共に記憶する記憶装置から所定枚数の画像を取得する取得手順と、
取得された前記所定枚数の画像を画像処理装置の画面上に並べて表示する画像表示手順と、
前記所定枚数の画像が表示された領域と同一画面内の別領域に、該所定枚数の画像のそれぞれに関する付加情報を混成して表示する付加情報表示手順と
を実行させるためのプログラム。
【請求項１８】
コンピュータに、
複数の画像をそれぞれの付加情報と共に記憶する記憶装置から所定枚数の画像を取得する取得手順と、
取得された前記所定枚数の画像を画像処理装置の画面上に並べて表示する画像表示手順と、
前記所定枚数の画像が表示された領域と同一画面内の別領域に、該所定枚数の画像のそれぞれの輝度分布情報を混成して表示する輝度分布情報表示手順と
を実行させるためのプログラム。
【請求項１９】
コンピュータに、
複数の画像をそれぞれの撮影時の撮影情報と共に記憶する記憶装置から所定枚数の画像を取得する取得手順と、
取得された前記所定枚数の画像を画像処理装置の画面上に並べて表示する画像表示手順と、
前記所定枚数の画像が表示された領域と同一画面内の別領域に、該所定枚数の画像のそれぞれの撮影情報を混成して表示する撮影情報表示手順と、
前記所定枚数の画像が表示された領域と同一画面内のさらに別領域に、該所定枚数の画像のそれぞれの輝度分布情報を混成して表示する輝度分布情報表示手順と
を実行させるためのプログラム。
【請求項２０】
請求項１７から１９までのいずれか１項に記載のプログラムを格納したことを特徴とするコンピュータ読み取り可能な記憶媒体。  
【発明の詳細な説明】
【技術分野】
【０００１】
本発明は、記憶装置に記憶された画像をディスプレイ表示し、かつ、印刷装置へ出力する、画像処理装置に関する。
【背景技術】
【０００２】
従来から、デジタルカメラで撮影された画像群に対して、その縮小画像の一覧表示、特定の画像の印刷、補正処理等を施すアプリケーション・ソフトウェアが数多くリリースされている。例えば、以下に示す非特許文献１、２には、それぞれのアプリケーション・ソフトウェアに関する説明が記載されている。
【０００３】
まず、非特許文献１に記載のアプリケーション・ソフトウェアは、画像から撮影情報を取得して表示する、或いは、画像の輝度分布を示すヒストグラムを表示するといった画像の撮影者にとって有用なデータを提供する。また、取得して表示される撮影情報の中には、撮影日時や撮影したデジタルカメラの機種名の他、撮影モードやシャッター速度、絞り値、測光方式といった詳細な撮影データが含まれる。これらはＥｘｉｆ（Ｅｘｃｈａｎｇｅａｂｌｅ  Ｉｍａｇｅ  Ｆｉｌｅ  ｆｏｒｍａｔ）規格で定められた項目であり、この中にはデジタルカメラメーカー独自の情報も含まれている。さらに、当該アプリケーション・ソフトウェアは、撮影時の合焦ポイントを表示するモード等も提供している。
【０００４】
また、非特許文献２に記載のアプリケーションソフトウェアも同様に、Ｅｘｉｆ規格の情報をもとにした撮影情報や輝度分布表示が可能である。ここで、撮影情報表示については、一般的な撮影情報と正確なＥｘｉｆ規格の情報とを分けて表示している。特に、前者においては、機材情報、撮影情報、画像情報といったカテゴリ分けがされており、各カテゴリ毎に表示するかどうかをユーザが選択することができる。
【０００５】
さらに、上述した非特許文献１、２に記載のアプリケーション・ソフトウェアでは、例えば、同様の構図で撮影した画像群の中から印刷用の画像や補正用の画像を選択するといった作業において、画面上での目視による画像の主観的な確認作業の他に、撮影情報や輝度分布といった定量的情報によるユーザの選択操作を支援している。例えば、露出を自動変更して連続撮影した風景画像群の中から所望の撮影条件の画像を選択する状況において、撮影情報等の定量的情報は有用な情報である。
【非特許文献１】「キヤノンＥＯＳ−１Ｄｓソフトウェア使用説明書」、２００３年、ページ３−３
【非特許文献２】「ＯＬＹＭＰＵＳ  Ｓｔｕｄｉｏ  取扱説明書」、２００３年、ページ８２
【発明の開示】
【発明が解決しようとする課題】
【０００６】
しかしながら、上述したような定量的情報による比較作業を行うために、前述した非特許文献１及び２に記載されたアプリケーション・ソフトウェアでは、各画像用には撮影情報を表示する領域が１つであって、かつ、着目している画像についての情報確認のみ可能であるため、比較対象の他の画像の撮影情報を同一画面で見比べることができないために効率が悪い。
【０００７】
また、輝度分布のヒストグラムを利用して画像の比較を行いたい場合であっても同様であり、対象画像の輝度分布とどの程度異なっているのかを同一画面で見比べることができない。
【０００８】
さらに、前述した非特許文献１のアプリケーション・ソフトウェアでは、撮影情報に関して表示される項目数とその表示順序が一定であるため、ユーザによっては不要とされる情報が常に表示されたり、所望の情報が視認し難い場所に表示されるという問題がある。さらにまた、前述した非特許文献２の場合でも、カテゴリごとにしか撮影情報等の表示・非表示を選択することができない。
【０００９】
本発明は、このような事情を考慮してなされたものであり、複数の画像についての撮影情報や輝度分布情報等の定量的情報をそれらの画像とともに好適に比較表示することができ、ユーザが所定の画像群から所望の画像をよりスムーズに選択することができる画像処理装置及び画像処理方法を提供することを目的とする。
【課題を解決するための手段】
【００１０】
上記課題を解決するために、本発明に係る画像処理装置は、
複数の画像をそれぞれの付加情報と共に記憶する記憶手段と、
前記記憶手段から所定枚数の画像を取得する取得手段と、
取得された前記所定枚数の画像を画面上に並べて表示する画像表示手段と、
前記所定枚数の画像が表示された領域と同一画面内の別領域に、該所定枚数の画像のそれぞれに関する付加情報を混成して表示する付加情報表示手段と
を備えることを特徴とする。
【００１１】
また、上記画像処理装置は、前記付加情報が、前記画像が撮影装置により撮影されたときの撮影情報であることを特徴とする。
【００１２】
さらに、上記画像処理装置は、前記付加情報表示手段により前記画面上に表示される付加情報の項目の種類を設定する項目設定手段をさらに備えることを特徴とする。
【００１３】
さらにまた、上記画像処理装置は、前記付加情報表示手段が、混成して表示された前記付加情報のうち、値が異なる項目についての付加情報を強調表示することを特徴とする。
【００１４】
さらにまた、上記画像処理装置は、
前記付加情報表示手段によって前記画面上に表示された値が異なる項目のうちいずれかの付加情報の値の部分を選択する選択手段をさらに備え、
前記画像表示手段が、前記選択手段により選択された前記付加情報の値を持つ画像を強調表示することを特徴とする。
【００１５】
さらにまた、本発明に係る画像処理装置は、
複数の画像をそれぞれの付加情報と共に記憶する記憶手段と、
前記記憶手段から所定枚数の画像を取得する取得手段と、
取得された前記所定枚数の画像を画面上に並べて表示する画像表示手段と、
前記所定枚数の画像が表示された領域と同一画面内の別領域に、該所定枚数の画像のそれぞれの輝度分布情報を混成して表示する輝度分布情報表示手段と
を備えることを特徴とする。
【００１６】
さらにまた、上記画像処理装置は、
前記画像表示手段によって前記画面上に表示された複数の画像のうちいずれかを選択する画像選択手段をさらに備え、
前記輝度分布情報表示手段が、前記画面上に表示される複数の輝度分布情報のうち、前記画像選択手段により選択された画像に関する輝度分布情報を強調表示することを特徴とする。
【００１７】
さらにまた、上記画像処理装置は、前記輝度分布情報表示手段が、前記輝度分布情報を所定の表示形態で表示するグラフを用いて前記画面上に表示することを特徴とする。
【００１８】
さらにまた、上記画像処理装置は、
前記輝度分布情報表示手段によって前記画面上に表示された複数の輝度分布情報のうちいずれかの輝度分布情報の部分を選択する輝度分布情報選択手段をさらに備え、
前記画像表示手段が、前記輝度分布情報選択手段により選択された輝度分布情報に対応する画像を強調表示することを特徴とする。
【００１９】
さらにまた、上記画像処理装置は、前記輝度分布情報表示手段が、前記画像表示手段により単一の画像が表示される場合と複数の画像が表示される場合とで、前記輝度分布情報の表示態様を変化させることを特徴とする。
【００２０】
さらにまた、上記画像処理装置は、前記輝度分布情報表示手段が、前記画像表示手段により単一の画像が表示される場合の前記輝度分布情報を柱状グラフ、複数の画像が表示される場合の該輝度分布情報を線グラフの表示態様で表示することを特徴とする。
【００２１】
さらにまた、本発明に係る画像処理装置は、
複数の画像をそれぞれの撮影時の撮影情報と共に記憶する記憶手段と、
前記記憶手段から所定枚数の画像を取得する取得手段と、
取得された前記所定枚数の画像を画面上に並べて表示する画像表示手段と、
前記所定枚数の画像が表示された領域と同一画面内の別領域に、該所定枚数の画像のそれぞれの撮影情報を混成して表示する撮影情報表示手段と、
前記所定枚数の画像が表示された領域と同一画面内のさらに別領域に、該所定枚数の画像のそれぞれの輝度分布情報を混成して表示する輝度分布情報表示手段と
を備えることを特徴とする。
【００２２】
さらにまた、上記画像処理装置は、前記所定枚数の画像、それぞれの画像の撮影情報及び輝度分布情報を同一記録用紙上に印刷する印刷手段をさらに備えることを特徴とする。
【００２３】
さらにまた、本発明に係る画像処理方法は、
複数の画像をそれぞれの付加情報と共に記憶する記憶装置から所定枚数の画像を取得する取得工程と、
取得された前記所定枚数の画像を画像処理装置の画面上に並べて表示する画像表示工程と、
前記所定枚数の画像が表示された領域と同一画面内の別領域に、該所定枚数の画像のそれぞれに関する付加情報を混成して表示する付加情報表示工程と
を有することを特徴とする。
【００２４】
さらにまた、本発明に係る画像処理方法は、
複数の画像をそれぞれの付加情報と共に記憶する記憶装置から所定枚数の画像を取得する取得工程と、
取得された前記所定枚数の画像を画像処理装置の画面上に並べて表示する画像表示工程と、
前記所定枚数の画像が表示された領域と同一画面内の別領域に、該所定枚数の画像のそれぞれの輝度分布情報を混成して表示する輝度分布情報表示工程と
を有することを特徴とする。
【００２５】
さらにまた、本発明に係る画像処理方法は、
複数の画像をそれぞれの撮影時の撮影情報と共に記憶する記憶装置から所定枚数の画像を取得する取得工程と、
取得された前記所定枚数の画像を画像処理装置の画面上に並べて表示する画像表示工程と、
前記所定枚数の画像が表示された領域と同一画面内の別領域に、該所定枚数の画像のそれぞれの撮影情報を混成して表示する撮影情報表示工程と、
前記所定枚数の画像が表示された領域と同一画面内のさらに別領域に、該所定枚数の画像のそれぞれの輝度分布情報を混成して表示する輝度分布情報表示工程と
を有することを特徴とする。
【発明の効果】
【００２６】
本発明によれば、複数の画像についての撮影情報や輝度分布情報等の定量的情報をそれらの画像とともに好適に比較表示することができ、ユーザが所定の画像群から所望の画像をよりスムーズに選択することができる。
【発明を実施するための最良の形態】
【００２７】
以下、図面を参照して、複数の画像群の中から２枚以上の画像を一覧表示し、同時にそれらの撮影情報等をあわせて表示する画像処理装置とその動作について詳細に説明する。
【００２８】
ここで、図１５は、本発明の一実施形態に係る画像処理装置を実現するためのハードウェア構成例を示すブロック図である。図１５において、１５１はキーボードやマウス等の入力装置、１５２は本実施形態に係る画像処理方法を実現するシステムのマネージメント制御、入力画像の入力や補正、印刷用編集データの生成処理等を行うための中央処理装置である。また、１５３は画像や撮影情報等の比較表示に使用されるディスプレイ等の表示装置、１５４は撮影情報等が付加された、或いは別ファイルとしてそれらに対応付けられた画像のファイル、当該画像に対応する画像補正コマンド履歴ファイルを格納するハードディスク等の記憶装置である。
【００２９】
さらに、１５５は編集データ等を出力するための印刷装置、１５６はフィルムスキャナやフラットベッドスキャナ、デジタルカメラ等の画像入力装置、１５７はフレキシブルディスクドライブやデジタルカメラ等で用いられる可搬記憶媒体が着脱可能でありデータの読み書きが可能である外部記憶装置である。
【００３０】
以下の各実施形態では、図１５に示すような画像処理装置を用いて画像の一覧表示や印刷等の各種処理を実行することが可能である。
【００３１】
＜第１の実施形態＞
図１は、本発明の第１の実施形態に係る画像処理装置を用いて表示された選択画像比較画面の一例を示す図である。図１に示す例では、表示装置１５３上に、選択された２つの画像を比較表示する場合について示しているが、比較表示対象となる画像数は３以上であってもよい。
【００３２】
図１に示す画面において、１１、１２はそれぞれ１つ目及び２つ目の比較対象画像を表示するための領域（画像表示領域）である。そして、各画像表示領域１１、１２の下方には、図１に示す選択画像比較画面を起動した際に、予め割り振られている画像ＩＤ等が表示される。図１に示す例では、左右の画像それぞれに対して００１、００２という画像ＩＤが表示されている。
【００３３】
また、ユーザは、図１上の各々の画像に対してマウス等の入力装置１５１を用いた選択操作が可能であり、選択状態にある画像については当該領域が強調表示される。例えば、図１では、００１の画像が選択状態にある。このような強調表示機能は、後述する撮影情報や輝度分布表示時の対象画像を特定する際に有用となる。また、強調表示の手段の例としては、画像表示領域自身の輪郭部分の線を太くしたり、点滅したり、色を変化させる等の処理をさせることができる。
【００３４】
さらに、図１において、１３は画像表示領域１１、１２に表示された画像に対する表示形態を変化させるための表示用ツール類である。図１では、一例として、左から拡大、縮小、領域スクロールの各処理を行うためのボタンが配置されている。例えば、ユーザが拡大ボタンを選択した場合は画面上のマウスカーソル等が変化して拡大処理モードに移行したことをユーザは認識でき、その状態で画像の所望の位置でマウス指定（例えば、クリック等）すると当該画像の拡大表示処理が行われる。また、マウスの指定位置が拡大表示される画像領域の中心に移動する。尚、この拡大表示処理を、もう一方の画像に対しても連動して行うようにしてもよい。すなわち、画像００１に対して拡大処理を行った場合、それと連動して画像００２も対応部分が拡大表示されるようにすることができる。
【００３５】
一方、ユーザが縮小ボタンを選択した場合についても同様に、両画像の縮小表示処理を行うことができる。尚、前述した画像の拡大・縮小処理においては、画像処理装置内で予め設定されている一定の拡大・縮小率に従って、２つの画像の拡大・縮小が行われる。すなわち、拡大ボタン選択時にマウス指定を行うたびに、同比率で両画像が拡大表示される。同様に、縮小ボタン選択時には、同比率で両画像が縮小表示される。尚、本実施形態では、拡大率・縮小率のどちらもそれぞれ上限値、下限値が設定されているものとする。例えば、上限値はオリジナル画像に対して４００％のサイズまで、下限値は２０％のサイズまでといった値が予め設定されている。もちろん、これらの値を設けたまま、或いは設けずに、ユーザが任意の拡大・縮小率を指定して画像の拡大・縮小を行うようにしてもよい。
【００３６】
さらに、本実施形態では、画像が拡大表示されている状態にのみ領域スクロールボタンの選択が可能である。画像が拡大表示されている状態において、ユーザが領域スクロールボタンを選択するとマウスカーソルが同様に変化して、その状態で２つの画像のいずれかの表示領域上でドラッグすることが可能となる。そして、マウスのドラッグ操作によって、画像表示領域に表示される画像上の領域を任意の方向にスクロールさせることができる。尚、マウスドラッグをしていないもう一方の画像表示領域においても、同様に対応する部分の拡大画像が同領域内にスクロール表示される。
【００３７】
さらにまた、図１において、領域１４は、画像表示領域１１、１２に表示される両画像の撮影情報等をまとめて混成表示するための撮影情報表示領域である。すなわち、本実施形態に係る画像処理装置によれば、ユーザは複数の画像が持つ撮影情報を同一画面内で容易に確認することができる。撮影情報表示領域１４には、両画像についての撮影情報の項目名称とその値の組み合わせが表示されるが、それらの項目において画像によって異なる値を持っているものについては強調表示する。従って、ユーザは、値の異なる撮影情報を一目で確認することができる。
【００３８】
図１における撮影情報表示領域１４においては、２つの画像（画像００１、００２）に関する撮影情報のうち、撮影モード、絞り数値、測光方式は同じ値であるため、これらの撮影情報の各項目の名称に対してそれぞれ、プログラムＡＥ、５．６、評価測光といったように１つの値が表示されている。一方、画像によって値が異なるシャッター速度の項目については、それぞれの値である１／２０、１／３０が並べて表示され、さらに当該項目全体が強調表示されている。このように、異なる値を有する項目については強調表示することにより、ユーザが画面を一目見ただけ撮影情報の相違点を視認することができるようになっている。このように、本画像処理装置によれば、比較したい撮影情報の項目をユーザが予め選択することができるため、ユーザにとって必要な項目のみを着目することができる。
【００３９】
さらに、撮影情報表示領域１４内で強調表示されている項目部分の領域の中においては、選択状態にある画像がもつ値がさらに強調表示されている。この図では値１／２０が強調表示されている。従って、本画像処理装置によれば、特定の画像から当該画像が持つ撮影情報の値をユーザが一目で確認することができる。
【００４０】
ここで、ユーザが表示されている項目領域上のどちらかの値の部分に対してマウスによる選択操作を行うと、選択された値を有する画像が選択された状態となり、前述のように強調表示される。従って、本画像処理装置によれば、特定の撮影情報項目の値が指す画像をユーザはひと目で確認することができる。また、撮影情報表示領域１４における撮影情報の表示方法や、当該表示領域で表示される撮影情報項目の種類や数については、後述する画像処理装置の環境設定の際に変更することが可能である。
【００４１】
例えば、複数の画像の撮影情報を混成表示しない設定がされている場合には、図１に示す選択画像比較画面において選択されている画像のみ（例えば、画像００１のみ）の撮影情報を表示するようにする。尚、上述した画像の選択操作によって、当該画像表示領域のみならず、後述する輝度分布表示領域１５上の対応するグラフについても選択状態が変化する。
【００４２】
図１において、１５は比較対象画像の輝度分布表示領域である。このように、一画面内に表示することにより、複数の画像が持つ輝度分布情報を同一画面内で画像とともに確認することができる。例えば、前述した非特許文献１、２に記載されたアプリケーション・ソフトウェアでは、画像の該輝度分布を柱状のヒストグラムで表示されるが、本実施形態では複数の輝度分布を同一画面で表示するために、柱状グラフではなく２つの線グラフを用いて表示する。これにより、一方のグラフで他方のグラフが隠蔽されることを防ぎ、全体の様子をユーザが視認することができる。
【００４３】
さらに、本実施形態では、各線グラフが指す画像が比較対象画像のどれに相当するのかをユーザにわかり易くするために、各線グラフの線の表示形態を変える。例えば、選択状態にある画像の輝度分布を実線で表示し、もう一方の画像の輝度分布を破線で表示する。尚、線グラフの線については、実線と破線とで表示形態を変えるのみだけではなく、太さ、色等を変更して表示するようにしてもよい。また、画像が３つ以上の場合は、さらに破線の種類等を代えて表示するようにする。従って、本画像処理装置によれば、特定の画像から当該画像が持つ輝度分布をひと目で確認することができ、さらに、複数の画像の輝度分布を同時に視認することができる。
【００４４】
ここで、輝度分布表示領域１５に表示されたグラフのいずれかを、マウス等を用いて選択する操作を行った場合、まず選択されたグラフが実線表示になる。また、これと同時に、実線表示になったグラフに相当する画像（例えば、画像００１）が選択状態となって強調表示される。すなわち、本画像処理装置によれば、特定の輝度分布が指す画像をひと目で確認することができる。尚、後述する環境設定において、複数の画像の撮影情報を混成表示しない設定がされている場合には、図１に示す選択画像比較画面において、選択されている画像の輝度分布表示を柱状グラフによるヒストグラムに自動的に切り替えて表示するようにする。これにより、対象画像の数に応じて（特に、対象画像が１か複数かを）視認しやすい表示方法を自動で選択することができる。
【００４５】
さらにまた、図１において、１６は印刷ボタンである。ユーザが印刷ボタン１６をマウス等で選択することにより、図１に示す選択画像比較画面上に表示された比較対象となっている画像群、各画像が持つ撮影情報や輝度分布情報が、現在選択されている印刷装置に出力される。尚、当該印刷処理の詳細については後述する。
【００４６】
図３は、本発明の第１の実施形態に係る画像処理装置によって選択画像比較画面上に表示される撮影情報表示領域１４の詳細を示す図である。一方、図２は、従来技術によって実現される撮影情報表示領域例を示す図である。図２及び図３に示す撮影情報表示領域内には、選択画像比較画面上で選択されている画像内に埋め込まれている（或いは、対応して記憶されている）各種撮影情報の項目名とその値が表示されている。
【００４７】
図２に示すように、例えば、非特許文献１に記載のアプリケーション・ソフトウェアでは、撮影情報表示領域に表示する撮影情報として、ファイル名、カメラ機種名、撮影モード、絞り値、測光方式、露出補正、ＩＳＯ感度、レンズ、焦点距離、画像サイズ、画質、フラッシュ使用、ホワイトバランス、ＡＦモードといった情報がその項目名と値とを改行して表示する。また、非特許文献２に記載のアプリケーション・ソフトウェアでは、撮影情報の項目名とその値とが同一の行に表示され、また、一般情報とＥｘｉｆ規格情報を別の画面で切り替えて表示することができる。
【００４８】
一方、図３に示す本実施形態に係る撮影情報表示領域においては、例えば前述のように２つの画像が対象とされている状態において、各々の画像の撮影情報を表示する。そして、表示に際しては、同一の値を有する撮影情報項目については１つだけ値を表示し、値の異なる撮影情報項目についてはそれぞれの値を表示するが、この際に文字の色や文字の背景色の組み合わせを変えて強調表示する。尚、表示項目が多い場合や画像が多い場合等には、当該領域内にすべて一度に表示することが困難になるが、その場合には領域内にスクローラが表示され、ユーザがマウス等を用いてスクロールさせることによって所望の項目を見ることができる。
【００４９】
また、デジタルカメラによっては、撮影時に露出を自動的に変えて連続撮影するモードをサポートしているものがある。このように連続撮影された画像群に対しては、絞り値やシャッター速度といった露出に強く関係する項目が変化していることが確認できる。本実施形態に係る画像処理装置によれば、このような画像毎の撮影パラメータの変化が強調表示により一目で確認することができる。例えば、図３に示す図からは、絞り値は不変であり、シャッター速度のみが変化していることが確認できる。
【００５０】
また、図５は、本発明の第１の実施形態に係る画像処理装置によって選択画像比較画面上に表示される輝度分布表示領域１５の詳細を示す図である。一方、図４は、従来技術によって実現される輝度分布表示領域例を示す図である。図４及び図５に示す輝度分布表示領域内には、対象となる画像から取り出された全ピクセルの色情報について、横軸に輝度強度、縦軸にその強度における度数とした輝度分布を表示している。この図では、左から右に向かって輝度の強度が増加している。
【００５１】
ここで、図４については、当該輝度分布が柱状グラフで表現されており、グラフの内部が塗りつぶされた形となっている。一方、図５では、２つの画像が選択されている状態において、各々の画像の輝度分布をひとつの領域内に混成表示している。図５では、実線表示されているものが画面上選択されている画像のデータであり、破線表示のものが他の画像のデータを示している。ここで、ユーザが破線表示のグラフを選択すると当該グラフが実線表示に変わり、当該グラフに対応する画像の表示領域が選択状態になり強調表示される。また、それと同時に、他のグラフが破線になり対応する画像の表示領域が非選択状態に変わる。
【００５２】
前述した、露出を自動的に変えて連続撮影するモードで撮影された画像群に対しては、互いに類似したシーンであると考えられるため、基本的には対応する各々のグラフはほぼ相似形であって、全体が輝度強度、すなわち横方向にシフトしていることが確認できる。例えば、図５における実線表示に対応する画像は、右方向にシフトしているため、破線表示に対応する画像よりも全体的に明るいことを示している。
【００５３】
図６は、本発明の第１の実施形態に係る画像処理装置の選択画像比較画面による撮影情報表示処理を説明するためのフローチャートである。当該処理は、図１に示す選択画像比較画面の初期起動時等における撮影情報表示領域の描画開始で始まる。以降、ステップＳ１０１〜Ｓ１０２までは、選択画像比較画面で表示される画像毎に撮影情報を取得する処理が行われる。そして、ステップＳ１０３〜Ｓ１０９までは、取得した撮影情報の項目毎に、対象画像のそれぞれの項目に対する値を表示する処理が行われる。
【００５４】
まず、撮影情報を取得すべき画像があるか否かが判定される（ステップＳ１０１）。その結果、撮影情報がある場合（Ｙｅｓ）にはステップＳ１０２に進んで、後述する画像処理装置の環境設定で表示設定される項目すべてに対する値の取得を行う。ここでは、画像毎に項目と値がペアになって管理される。一方、取得すべき画像がない場合（Ｎｏ）にはステップＳ１０３に進む。
【００５５】
ステップＳ１０３では、表示すべき撮影情報の項目があるか否かが判定される。その結果、項目がある場合（Ｎｏ）はステップＳ１０４に進み、項目がない場合（Ｙｅｓ）には本処理を終了する。
【００５６】
ステップＳ１０４では、対象となる撮影情報項目に対する画像すべての値を比較する。その結果、すべて同じ値である場合（Ｙｅｓ）は、背景色、文字色を通常の色に設定する（ステップＳ１０６）。一方、ひとつでも異なる値がある場合（Ｎｏ）は、背景色、文字色を強調表示の色に設定する（ステップＳ１０５）。ステップＳ１０５及びＳ１０６で背景色を設定した後、当該背景色で項目全体の背景を塗りつぶす描画を行う（ステップＳ１０７）。そして、設定された文字色で項目名を描画し（ステップＳ１０８）、設定された文字色でその他のすべての値を描画し（ステップＳ１０９）、ステップＳ１０３の処理に戻る。
【００５７】
尚、撮影情報項目名と項目に対応する値の描画方法については、同一行に描画してもよいし、項目名と値とを改行して別の行で描画してもよい。但し、いずれの場合であっても、当該値が画像毎に異なる場合には、各値の部分が選択可能な状態であって、かつ、選択された値を持つ画像の表示領域が選択状態になっていることを要する。
【００５８】
図７は、本発明の第１の実施形態に係る画像処理装置の選択画像比較画面による輝度分布表示処理を説明するためのフローチャートである。当該処理は、選択画像比較画面の初期起動時等における輝度分布表示領域の描画開始で始まる。以下では、ステップＳ２０１〜Ｓ２０５の各処理で、選択画像比較画面で表示される画像毎に輝度分布情報を取得してその情報に基づいてグラフ表示を行う。
【００５９】
処理では、まず、輝度分布情報を取得すべき画像があるかどうかがチェックされる（ステップＳ２０１）。その結果、チェックすべき画像がある場合（Ｙｅｓ）はステップＳ２０２に進み、チェックすべき画像がない場合（Ｎｏ）には、本処理を終了する。ステップＳ２０２では、対象画像の輝度分布情報を取得する。
【００６０】
例えば、本実施形態では、輝度分布情報を取得するために、横軸の輝度強度の諧調を０から２５５に設定し、画像の各ピクセルデータのＲＧＢ値をもとに輝度成分を算出し、各強度における度数を算出する方法を用いる。一方、選択画像比較画面における輝度分布表示領域の大きさが小さい場合には、処理を早めるために、画像のサムネールデータから輝度分布情報を取得するようにしてもよい。
【００６１】
そして、画像が選択画像比較画面上で選択状態にあるか否か、すなわち、画像の表示領域が強調表示されているかどうかをチェックする（ステップＳ２０３）。その結果、画像が選択状態にある場合（Ｙｅｓ）は、対応する輝度分布のグラフを実線で描画する（ステップＳ２０５）。一方、画像が非選択状態にある場合（Ｎｏ）は、破線を用いてグラフを描画する（ステップＳ２０４）。その後、ステップＳ２０１の処理に戻る。
【００６２】
図８は、本発明の第１の実施形態に係る画像処理装置の選択画像比較画面から印刷処理を実行して出力される印刷レイアウトの一例を示す図である。尚、図８において、画像８１、８２は、図１に示す選択画像比較画面で比較対象となっている画像００１、００２を表示したものである。尚、図８に示すレイアウトでは、図１に示す選択画像比較画面上における画像の拡大・縮小表示状態にかかわらず、規定の表示領域内で当該画像全体が出力される。図８に示す例では、図１の状態に対応させて２つの画像が印刷されているが、それ以上の画像数であっても同様である。また、レイアウト出力時に、各画像の下部にはそれぞれの画像のＩＤが併せて出力される。
【００６３】
また、図８において、領域８３は、出力された画像（ここでは、画像８１、８２）の撮影情報表示領域である。当該領域には、後述する撮影情報項目設定画面で設定された項目名と各項目に対応する各画像における値が、テーブル形式で出力されている。尚、比較対象画像数が増加した場合には、それに応じて画像の列が増えることになる。また、選択画像比較画面での表示と同様に、対応する値が１つでも異なる画像がある項目の行については、色を変える等の強調表示を行う。
【００６４】
さらに、図８において、領域８４は比較対象画像の輝度分布表示領域であり、画像ごとに表示形態を変え（例えば、実線と破線、異なる色等）、線グラフを用いて出力されている。尚、当該輝度分布領域領域の右側部分には、画像ＩＤとその画像が指すグラフの表示形態が凡例として出力される。また、本実施形態では示していないが、輝度分布領域領域の座標系をより具体的に示すために、横軸に輝度強度の値、縦軸に度数を数字で示す方法であってもよい。加えて、横軸には輝度を示すグレースケールのグラデーションを示してもよい。
【００６５】
但し、本実施形態では、後述する環境設定内の比較対象画像の最大数指定の際に設定可能な数以下の画像数であれば、比較対象画像が増えたり、撮影情報の表示項目が増えた場合であっても、前述した画像、撮影情報、及び輝度分布を１ページ内で出力可能であることを前提としている。
【００６６】
図９Ａ〜Ｃは、本発明の一実施形態に係る画像処理装置の選択画像比較画面で指定される印刷処理の手順を説明するためのフローチャートである。本処理において、ステップＳ３０１〜Ｓ３０３までは、比較対象画像に対する画像出力処理を繰り返す。すなわち、まず出力すべき画像があるか否かが判断される（ステップＳ３０１）。その結果、出力すべき画像がない場合（Ｙｅｓ）はステップＳ３０４に進む。一方、ステップＳ３０１で出力すべき画像があると判定された場合（Ｎｏ）は、画像のデータを取得して当該画像を規定の位置に出力する（ステップＳ３０２）。さらに、当該画像のＩＤを規定の位置に出力する（ステップＳ３０３）。
【００６７】
本処理において、ステップＳ３０４〜Ｓ３０６までは、撮影情報の出力処理である。まず、ステップＳ３０１で出力すべき画像がないと判定された場合、比較対象画像数と撮影情報の表示項目数から、撮影情報を一覧にして出力するためのテーブルの罫線を出力する（ステップＳ３０４）。そして、ステップＳ３０５〜Ｓ３０６で、比較対象画像毎の撮影情報取得処理を繰り返す。すなわち、まず、撮影情報を取得すべき画像があるか否かが判定される（ステップＳ３０５）。その結果、取得すべき画像がない場合（Ｙｅｓ）はステップＳ３０７に進む。一方、ステップＳ３０５において撮影情報を取得すべき画像があると判定された場合、すなわち画像の終了ではないと判定された場合（Ｎｏ）は、当該画像の撮影情報を取得し（ステップＳ３０６）、ステップＳ３０５に戻る。
【００６８】
本処理において、ステップＳ３０７〜Ｓ３１３までは、撮影情報の項目毎に画像の対応する値を、ステップＳ３０４で作成したテーブルの相当位置に出力する処理を繰り返す。
【００６９】
まず、ステップＳ３０７では、処理すべき項目があるか否かが判定される。その結果、処理すべき項目がない場合（Ｙｅｓ）にはステップＳ３１４に進む。一方、ステップＳ３０７において処理すべき項目があると判定された場合（Ｎｏ）は、次いですべての画像の撮影情報項目に対する値が同じであるか否かチェックする（ステップＳ３０８）。
【００７０】
ステップＳ３０８の判定において、すべて同じ値である場合（Ｙｅｓ）はステップＳ３１０に進み、１つでも異なる値がある場合（Ｎｏ）はステップＳ３０９に進む。ステップＳ３０９では、強調表示用の背景色と文字色が設定される。また、ステップＳ３１０では、通常表示用の背景色と文字色が設定される。
【００７１】
そして、ステップＳ３０９又はステップＳ３１０で設定された背景色と文字色とを用いて、項目を示す行全体の背景を塗りつぶす背景描画を行う（ステップＳ３１１）。次いで、項目名を描画し（ステップＳ３１２）、描画した項目に対するすべての画像の撮影情報の値を作成されたテーブル内に描画し（ステップＳ３１３）、ステップＳ３０７に戻る。
【００７２】
ステップＳ３１４では、輝度分布出力がされる領域の全体枠を出力する。続くステップＳ３１５〜Ｓ３１８までは、対応する画像毎に輝度分布出力処理を繰り返す。まず、出力すべき画像があるか否かが判定される（ステップＳ３１５）。その結果、出力すべき画像がない場合（Ｙｅｓ）にはすべての印刷処理を終了する。
【００７３】
一方、ステップＳ３１５において出力すべき画像があると判定された場合（Ｎｏ）は、画像の輝度分布情報を取得し（ステップＳ３１６）、当該輝度分布情報を線グラフで出力（グラフ描画）する（ステップＳ３１７）。尚、本実施形態では、画像毎に異なる色等の表示形態で線グラフを出力するものとし、例えば、乱数等を用いて生成した色等で表現する。そして、出力されるレイアウトにおける輝度分布出力領域の右隣に、画像のＩＤと当該色等の表示形態の直線とを凡例として出力する（ステップＳ３１８）。尚、凡例の出力の際には、前回出力された凡例の位置に重ならないように、繰り返し処理の中では垂直方向をずらして出力する調整が行われる。
【００７４】
図１０は、本発明の第１の実施形態に係る画像処理装置の環境設定機能の一つである撮影情報項目設定画面の一例を示す図である。この撮影情報項目設定画面とは、図１に示す選択画像比較画面で表示される様々な撮影情報の項目を選択するための画面である。
【００７５】
図１０において、１０１は撮影情報として表示しない非表示項目リストであり、１０２は選択画像比較画面で表示する表示項目リストである。ユーザは、表示項目リスト１０２上では、マウスドラッグ等により表示項目の順序を入れ替えることが可能である。また、表示項目リスト１０２上での項目の表示順は、図１に示す選択画像比較画面上で表示される撮影情報の表示順と同じになる。
【００７６】
また、図１０において、１０３は非表示項目リスト１０１上で選択されている項目を表示するように表示項目リスト１０２に追加するための項目追加ボタン、１０４は表示項目リスト１０２上で選択されている項目を非表示とするために削除するための項目削除ボタンである。また、１０５は表示項目及び非表示項目の内容を初期状態にリセットするためのリセットボタンである。尚、当該初期状態は任意に設定できるようにしてもよい。さらに、１０６は現在設定されている表示項目で確定し、本画面を閉じるためのＯＫボタン、１０７は本画面で変更した内容を反映させずに画面を閉じるためのキャンセルボタンである。
【００７７】
なお、本実施形態においては、図１０に示す撮影情報項目設定画面を用いて設定可能な項目は、デジタルカメラの画像フォーマットの標準規格であるＥｘｉｆ規格において策定されている項目をそのまま使用するものであってもよいし、デジタルカメラを開発しているメーカー固有の項目や値を取り扱うことができるようにしてもよい。
【００７８】
図１１は、本発明の第１の実施形態に係る画像処理装置の環境設定機能の一つである複数の画像の情報を混成表示を行うための混成表示設定画面を示す図である。すなわち、ユーザは図１１に示す画面を用いて、複数の画像それぞれの撮影情報や輝度分布情報をそれぞれ同一領域内に表示するか否かを設定することができる。
【００７９】
図１１において、ラジオボタン１１１、１１２は、複数の画像の撮影情報及び輝度分布情報をそれぞれ同一領域に混成表示するか否かを選択するための二者択一のボタンである。尚、図１１では、後者（混成表示をする）が選択状態にあることを示している。また、前者（混成表示をしない）では、図１に示す選択画像比較画面において、選択表示中の画像に対してのみ撮影情報及び輝度分布情報の表示を行うことを指定する。すなわち、この場合は、図１に示すような、複数画像に対する撮影情報や輝度分布情報の表示を行わない。
【００８０】
図１１において、ラジオボタン１１２が選択された場合には、さらに、同一デジタルカメラ機種のデータのときのみ混成表示するかどうかを選択するためのチェックボックス１１３、及び、比較対象画像数の最大値を設定するための比較対象画像最大数設定ボックス１１４での設定が可能となる。そして、ユーザがチェックボックス１１３を選択状態にした場合は、図１に示す選択画像比較画面で表示される画像がすべて同じカメラ機種で撮影された画像であると判断されたときのみ、撮影情報や輝度分布情報の比較表示を行うようにする。
【００８１】
ここで、本実施形態に係る画像処理装置の初期状態においては、比較対象画像最大数設定ボックス１１４は予め所定値が設定されており、例えば図１１のように３に設定されているものとする。また、比較対象画像最大数設定ボックスで設定された数を超えた選択画像に対して選択画像比較画面を表示した場合には、ラジオボタン１１１が選択されている状態と同じ状況、すなわち、撮影情報や輝度分布情報の混成表示はしない。尚、比較対象画像最大数設定ボックス１１４で設定可能な最大値は画像処理装置によって予め決まっており、例えば１０とする。
【００８２】
さらに、図１１において、１１５は現在設定されている項目を確定して画面を閉じるためのＯＫボタン、１１６は画面で変更した内容を反映させずに画面を閉じるためのキャンセルボタンである。
【００８３】
＜第２の実施形態＞
次に、第２の実施形態では、画像処理装置で表示される画面において、複数の画像を選択し、同一画面内の一部において選択画像の撮影情報や輝度分布情報を表示する処理について述べる。尚、第２の実施形態に係る画像処理装置を実現するためのハードウェア構成については、第１の実施形態に係る画像処理装置と同一であるため、その説明は省略する。
【００８４】
図１２は、本発明の第２の実施形態に係る画像処理装置において表示される画像一覧表示画面例を示す図である。図１２に示す画像一覧表示画面では、３つの画像が選択されている場合の画像一覧と、選択された画像の撮影情報と輝度分布情報が表示されている。そして、当該画面が、第２の実施形態に係る画像処理装置の主画面となるものである。
【００８５】
図１２に示す画像一覧表示画面において、１２１はメインメニューであり、前述した非特許文献１のアプリケーション・ソフトウェアと同様の画像処理装置で行う様々な操作を行うことができる。また、１２２は、メインメニュー１２１の中から比較的利用頻度の高い機能を選択し、メニューボタンとして表示するツールウィンドウである。さらに、１２３は、画像処理装置の記憶装置上のディレクトリを表示するとともに、その中から所望の画像が格納されている表示対象となるディレクトリを選択するためのディレクトリ選択画面である。
【００８６】
さらにまた、図１２において、１２４は、ディレクトリ選択画面１２３において選択されたディレクトリ内の画像を一覧表示するための画像一覧表示領域である。尚、画像一覧表示領域１２４上で表示される画像のサイズは、メインメニュー１２１やツールウィンドウ１２２上にあるメニューボタンによって、例えば大・中・小等の大きさでユーザによって任意に設定することが可能である。また、ユーザは、マウスやキーボード等の操作により、単一又は複数の画像を選択して強調状態にすることができる。
【００８７】
また、選択された画像については、ユーザはさらにメインメニュー１２１やツールウィンドウ１２２上のメニューボタンを選択することにより、図１に示す選択画像比較画面を表示することが可能である。さらに、指定した画像に対する拡大表示や回転、各種補正・修正といった画像処理一般の操作や、画像の表示順序変更や削除といったファイル操作も可能である。
【００８８】
尚、図１１の混成表示設定画面において混成表示をするよう設定されている場合には、選択画像の表示枠には画像毎に異なる色等で強調表示される。また、色等で強調された場合、この色は後述する撮影情報表示領域１２５及び輝度分布表示領域１２６で設定されるそれぞれの情報を画像毎に区別するための色と同一となる。また、当該色は、画像の選択状態が変更するたびに、第１の実施形態で説明した図９に示すフローチャートのステップＳ３１７の描画処理と同様に、乱数等を用いて画像選択時に自動で生成され、アプリケーション・ソフトウェアに管理されるものである。そして、当該色は、撮影情報表示領域１２５及び輝度分布表示領域１２６の領域表示時に随時利用される。
【００８９】
撮影情報表示領域１２５は、画像一覧表示領域１２４で選択中のすべての画像に対する撮影情報を表示する領域である。この例では、撮影情報の項目名を縦軸に、画像毎の値を横軸に設定したテーブルで当該撮影情報が表示されている。
【００９０】
また、輝度分布表示領域１２６は、画像一覧表示領域１２４で選択中のすべての画像に対する輝度分布情報を表示する領域である。この例では、選択された画像毎に色を変えてグラフ化して表示されている。尚、各表示領域の詳細については後述する。
【００９１】
図１３は、本発明の第２の実施形態に係る画像処理装置において表示可能な撮影情報の表示領域例を示す図である。図１３に示す表示形式は、図１２の撮影情報表示領域１２５で表示されている形式である。尚、第１の実施形態で説明した図３に示す場合と同様に、環境設定時に予め選択されている撮影項目の中で、各画像が持つ値が異なる撮影情報の項目がある場合には値が異なる行が強調表示される。
【００９２】
また、その一方で、図３とは異なる方法ではあるが、項目名とすべての値を同一行に表示し、かつ、横軸に選択した画像毎の列を区切ったテーブルとなっている。従って、ユーザは、値が異なる項目の範囲内でどの画像がどの値を持っているのかが一目で確認することができる。
【００９３】
さらに、当該テーブルの画像ＩＤを示すセルは画像毎に背景色を変えており、この色は画像一覧表示領域１２４で選択されている画像の枠の色、及び、輝度分布表示領域１２６で表示中のグラフの色と同一になっている。すなわち、画像一覧表示領域１２４上で選択されている画像と、画像が指す撮影情報表示領域１２５の撮影情報と輝度分布表示領域１２６の輝度分布情報のグラフが同じ色で表現されている。例えば、画像一覧表示領域１２４で選択中の画像００１、００２、００３の画像枠がそれぞれ青、赤、黄で強調表示されているとすると、図１２中の撮影情報表示領域１２５における画像ＩＤが表示されているセルの背景色もそれぞれ青、赤、黄となる。
【００９４】
また、図１４は、本発明の第２の実施形態に係る画像処理装置の画面上に表示された輝度分布表示領域１２６において画像毎に輝度分布グラフの色を変えて表示している様子を示す図である。前述した図１の輝度分布表示領域１５や図５に示す輝度分布表示領域では、輝度分布表示上の対象画像の違いを実線と破線とで表しているが、図１４ではこれを画像毎に色を変えて表示する。この際、グラフの色は、画像一覧表示領域１２４で選択状態にある画像枠に強調表示されているものと一致している。
【００９５】
すなわち、図１３と同様に、画像一覧表示領域１２４で選択中の画像００１、００２、００３の画像枠がそれぞれ青、赤、黄で強調表示されているとすると、画像にそれぞれ対応するグラフ１４１、１４２、１４３の色も青、赤、黄となる。また、画像一覧表示領域１２４において選択画像が１つの場合には、それに対応するグラフの表示は従来からの柱状のヒストグラム形式で表示されるものとする。
【００９６】
本実施形態では、画像一覧表示領域１２４における選択画像を区別するための強調表示方法として、選択画像の枠に異なる色で描画する方法について説明したが、選択画像と当該選択画像に対応する色が一目で区別できるような表示方法であればその様態は問わない。例えば、各画像表示領域の一部に小さな矩形等の図形を表示して、当該矩形に対応する色を描画するような方法であってもよい。また、画像のＩＤの文字色自身をそれに対応する色に変更するような方法であっても構わない。
【００９７】
＜その他の実施形態＞
以上、実施形態例を詳述したが、本発明は、例えば、システム、装置、方法、プログラム若しくは記憶媒体（記録媒体）等としての実施態様をとることが可能であり、具体的には、複数の機器から構成されるシステムに適用しても良いし、また、一つの機器からなる装置に適用しても良い。
【００９８】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００９９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１００】
その場合、プログラムの機能を有していれば、オブジェクトコード、インタプリタにより実行されるプログラム、ＯＳに供給するスクリプトデータ等の形態であっても良い。
【０１０１】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１０２】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１０３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１０４】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【０１０５】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【０１０６】
以上説明した各実施形態に実施例によって、比較対象画像の定量的情報である撮影情報の相違点、および、該画像の輝度分布の違いを、簡単に確認する手段を実現することができる。
【図面の簡単な説明】
【０１０７】
【図１】本発明の第１の実施形態に係る画像処理装置を用いて表示された選択画像比較画面の一例を示す図である。
【図２】従来技術によって実現される撮影情報表示領域例を示す図である。
【図３】本発明の第１の実施形態に係る画像処理装置によって選択画像比較画面上に表示される撮影情報表示領域１４の詳細を示す図である。
【図４】従来技術によって実現される輝度分布表示領域例を示す図である。
【図５】本発明の第１の実施形態に係る画像処理装置によって選択画像比較画面上に表示される輝度分布表示領域１５の詳細を示す図である。
【図６】本発明の第１の実施形態に係る画像処理装置の選択画像比較画面による撮影情報表示処理を説明するためのフローチャートである。
【図７】本発明の第１の実施形態に係る画像処理装置の選択画像比較画面による輝度分布表示処理を説明するためのフローチャートである。
【図８】本発明の第１の実施形態に係る画像処理装置の選択画像比較画面から印刷処理を実行して出力される印刷レイアウトの一例を示す図である。
【図９Ａ】、
【図９Ｂ】、
【図９Ｃ】本発明の一実施形態に係る画像処理装置の選択画像比較画面で指定される印刷処理の手順を説明するためのフローチャートである。
【図１０】本発明の第１の実施形態に係る画像処理装置の環境設定機能の一つである撮影情報項目設定画面の一例を示す図である。
【図１１】本発明の第１の実施形態に係る画像処理装置の環境設定機能の一つである複数の画像の情報を混成表示を行うための混成表示設定画面を示す図である。
【図１２】本発明の第２の実施形態に係る画像処理装置において表示される画像一覧表示画面例を示す図である。
【図１３】本発明の第２の実施形態に係る画像処理装置において表示可能な撮影情報の表示領域例を示す図である。
【図１４】本発明の第２の実施形態に係る画像処理装置の画面上に表示された輝度分布表示領域１２６において画像毎に輝度分布グラフの色を変えて表示している様子を示す図である。
【図１５】本発明の一実施形態に係る画像処理装置を実現するためのハードウェア構成例を示すブロック図である。
【符号の説明】
【０１０８】
１１、１２  画像表示領域
１３  表示用ツール類
１４  撮影情報表示領域
１５  輝度分布表示領域
１６  印刷ボタン
１７  ＯＫボタン
１５１  入力装置
１５２  中央処理装置
１５３  表示装置
１５４  記憶装置
１５５  印刷装置
１５６  画像入力装置
１５７  外部記憶装置
【図１】
2006172021.tif 000003
【図２】
2006172021.tif 000004
【図３】
2006172021.tif 000005
【図４】
2006172021.tif 000006
【図５】
2006172021.tif 000007
【図６】
2006172021.tif 000008
【図７】
2006172021.tif 000009
【図８】
2006172021.tif 000010
【図９Ａ】
2006172021.tif 000011
【図９Ｂ】
2006172021.tif 000012
【図９Ｃ】
2006172021.tif 000013
【図１０】
2006172021.tif 000014
【図１１】
2006172021.tif 000015
【図１２】
2006172021.tif 000016
【図１３】
2006172021.tif 000017
【図１４】
2006172021.tif 000018
【図１５】
2006172021.tif 000019